(57)【要約】    【課題】      消費電力を抑えつつ、全画面に対応する画像データの書換えをスムーズに行う一方、静止画領域と動画領域との境界を鮮明に表示すること。    【解決手段】  画像発生装置１０２が発生させた画像データをブロック単位で画像データブロックバッファ２０５に格納し、ＣＰＵ２０１でその画像データを構成する画素の輝度変化量を算出し、当該輝度変化量が最も大きいものから所定数だけ当該画素における輝度変化量及びアドレス情報を画像表示装置１０３に転送する。  【選択図】      図２
2005181856.tif 000002
【特許請求の範囲】
【請求項１】
画像発生装置が発生させた画像データをブロック単位で格納する記憶部と、前記画像データを構成する画素の輝度変化量を算出し当該輝度変化量が最も大きいものから所定数だけ当該画素における輝度変化量及びアドレス情報を画像表示装置に転送する制御部と、を具備することを特徴とする画像表示制御装置。
【請求項２】
前記制御部は、前記輝度変化量及びアドレス情報の転送に先立って前記画像表示装置で画像データを表示する際に基準となる基準画素値を前記画像表示装置に転送することを特徴とする請求項１記載の画像表示制御装置。
【請求項３】
前記制御部は、算出した輝度変化量の大きさ別に、当該輝度変化量及びアドレス情報を前記画像表示装置に転送することを特徴とする請求項１又は請求項２記載の画像表示制御装置。
【請求項４】
画像発生装置が発生させた画像データをブロック単位で格納し、前記画像データを構成する画素の輝度変化量を算出し、当該輝度変化量が最も大きいものから所定数だけ当該画素における輝度変化量及びアドレス情報を画像表示装置に転送することを特徴とする画像表示制御方法。
【請求項５】
前記輝度変化量及びアドレス情報の転送に先立って前記画像表示装置で画像データを表示する際に基準となる基準画素値を前記画像表示装置に転送することを特徴とする請求項４記載の画像表示制御方法。
【請求項６】
前記輝度変化量及びアドレス情報を転送する際、算出した輝度変化量の大きさ別に、当該輝度変化量及びアドレス情報を転送することを特徴とする請求項４又は請求項５記載の画像表示制御方法。
【請求項７】
画像データを発生させる画像発生装置と、前記画像データを構成する画素の輝度変化量を算出し当該輝度変化量が最も大きいものから所定数だけ当該画素における輝度変化量及びアドレス情報を画像表示装置に転送する画像表示制御装置と、前記輝度変化量及びアドレス情報に応じて画像データを表示する画像表示装置と、を具備することを特徴とする画像表示システム。
【請求項８】
前記画像表示制御装置は、前記輝度変化量及びアドレス情報の転送に先立って前記画像表示装置で画像データを表示する際に基準となる基準画素値を前記画像表示装置に転送し、前記画像表示装置は、前記基準画素値、前記輝度変化量及びアドレス情報に応じて画像データを表示することを特徴とする請求項７記載の画像表示システム。
【請求項９】
前記画像表示制御装置は、算出した輝度変化量の大きさ別に、当該輝度変化量及びアドレス情報を転送し、前記画像表示装置は、大きさ別に転送された当該輝度変化量及びアドレス情報に応じて画像データを表示することを特徴とする請求項７又は請求項８記載の画像表示システム。
【発明の詳細な説明】
【技術分野】
【０００１】
本発明は、画像表示制御装置及び画像表示制御方法並びに画像表示システムに関する。
【背景技術】
【０００２】
図９は、従来の画像表示制御装置の周辺装置の構成を示す図である。図９に示すように、従来の画像表示制御装置９０１は、画情報を発生させる画像発生装置９０２と、画像発生装置９０２が発生させた画情報に対応する画像データを一時的に格納するフレームメモリ９０３と、この画像データを表示する画像表示装置９０４とに接続され、画像発生装置９０２とフレームメモリ９０３との間、並びに、フレームメモリ９０３と画像表示装置９０４との間における画情報又は画像データ（以下、「画情報等」という）の転送を制御する。
【０００３】
かかる画情報等の転送処理においては、近年における高解像度の高速描画の要請に応じて高速化が不可欠となっている。また、転送処理の過程においては、拡大縮小又は回転等の画像データの変形も要求される。しかし、転送処理の過程における画像データの複雑な圧縮伸張は高速化の障害となる。このため、画情報等の転送処理においては、画像発生装置９０２が発生させたままの画情報に対応する画像データ（以下、「生データ」という）、あるいはこの生データに近い状態の画像データで処理を行う必要がある。このため、高解像度の高速描画においてはフレームメモリ９０３が必然的に大容量化し単独デバイスになり易く、そのデバイス間の画情報等の高速転送に伴う消費電力の損失が課題となっている。
【０００４】
低消費電力化に対応する技術として、ブロック選択手段を有し、書き換わった画像のみをブロック単位で書き換える液晶画像表示装置が開示されている（例えば、特許文献１参照）。一方、動画領域と静止画領域とを分離し、動画領域の階調及び解像度を落とすことにより実質的に高詳細画像表示及び高速動画表示を行う画像表示システムが開示されている（例えば、特許文献２参照）。
【特許文献１】特開平９−３２９８０７号公報
【特許文献２】特開２００２−２２９５４７号公報
【発明の開示】
【発明が解決しようとする課題】
【０００５】
しかしながら、前者の従来の液晶画像表示装置においては、全画面に対応する画像データを書き換える事態が生じた際には全画面に対応する画像データの転送が必要となる。この結果、画像データの高速転送に伴う消費電力の損失を回避することができないという問題がある。
【０００６】
また、後者の従来の画像表示システムにおいては、常時、動画領域及び静止画領域のデータ転送回路が動作しなければならないという問題があり、また、静止画領域と動画領域との境界において解像度が落ちてしまうという問題がある。
【０００７】
例えば、動画領域の解像度を静止画領域の１／４に落とした場合において、均一な背景画面上（例えば、壁など）を物体（例えば、人など）が移動した場合について説明する。
【０００８】
図１０及び図１１は、従来の画像表示システムにおける表示画素の遷移の一例について示す図である。図１０は、画像発生装置９０２の画素動作を示し、図１１は、画像表示装置９０４の画素動作を示している。
【０００９】
なお、図１０及び図１１においては、画素数が４画素であり、帯域（テータ転送量）の制限として１画素が設定されている場合について説明し、その左上の画素を第１画素、右上の画素を第２画素、左下の画素を第３画素及び右下の画素を第４画素として説明する。また、背景画面上の階調出力を”１”とし、移動物体の階調出力を”２５”とする。
【００１０】
図１０に示す画像発生装置９０２の画素動作において、時点１（Ｔ１）では全ての画素において背景画面を示す”１”が出力され、時点２（Ｔ２）〜時点６（Ｔ６）では移動物体を示す”２５”が出力されている。すなわち、画像発生装置９０２は、Ｔ２で動画を出力し、Ｔ３〜Ｔ６で静止画を出力している。
【００１１】
一方、図１１に示す画像表示装置９０４の画素動作においては、画像発生装置９０２から動画が出力された場合には解像度が１／４に落とされ、静止画が出力された場合には解像度が維持される。したがって、Ｔ２において解像度は１／４に落とされ、Ｔ３〜Ｔ６において解像度は維持される。
【００１２】
画像表示装置９０４のＴ２においては、第１画素から第４画素の全画素において”７”が出力されている。これは、代表値としてサンプリングされた画像発生装置９０２におけるＴ１の第１画素”１”とＴ２の第１画素”２５”の差である”２４”を、画像表示装置９０４におけるＴ１の全画素に反映させたものである。すなわち、”２４”を１／４にした値である”６”を、画像表示装置９０４におけるＴ１の第１画素〜第４画素のそれぞれに足した結果得られる”７”が出力されている。
【００１３】
そして、Ｔ３〜Ｔ６においては、画像発生装置９０２から静止画が出力されているため、画像発生装置９０２のＴ３における第１画素”２５”がそのまま画像表示装置９０４の第１画素として出力される。また、Ｔ４においては、画像発生装置９０２のＴ４における第４画素”２５”がそのまま画像表示装置９０４の第４画素として出力される。さらに、画像発生装置９０２のＴ５における第２画素”２５”がそのまま画像表示装置０４の第２画素として出力される。さらに、画像発生装置０２のＴ６における第３画素”２５”がそのまま画像表示装置９０４の第３画素として出力される。
【００１４】
このように従来の画像表示システムにおいては、動画から静止画への境界が実際の階調と等しくなるのに、画像データの帯域換算の１／４のデータ転送を５回も行う必要がある。これは、動画領域のデータ量を落として画質を劣化させつつ、その劣化を帯域制限のかかった静止画で修復していくという過程を繰り返す方式に起因するものである。
【００１５】
この方式においては、画質の劣化はある程度抑えられるとしても、静止画領域に対応するデータ転送周期を、動画領域に対応するデータ転送周期のｎ倍（上記の例では４倍）として転送する必要があるため、常時静止画領域のデータ転送を行なわなければならない。このため、動画領域及び静止画領域のデータ転送回路が動作しなければならなくなり、消費電力を低減することができず、また、静止画領域と動画領域との境界において解像度が落ちる事態が発生する。
【００１６】
本発明は、かかる問題点に鑑みて為されたものであり、消費電力を抑えつつ、全画面に対応する画像データの書換えをスムーズに行う一方、静止画領域と動画領域との境界を鮮明に表示することができる画像表示制御装置及び画像表示制御方法並びに画像表示システムを提供することを目的とする。
【課題を解決するための手段】
【００１７】
本発明は、画像発生装置が発生させた画像データをブロック単位で格納し、その画像データを構成する画素の輝度変化量を算出し、当該輝度変化量が最も大きいものから所定数だけ当該画素における輝度変化量及びアドレス情報を画像表示装置に転送するものである。
【発明の効果】
【００１８】
本発明に係る画像表示制御装置及び画像表示制御方法並びに画像表示システムによれば、消費電力を抑えつつ、全画面書換えをスムーズに行う一方、静止画領域と動画領域との境界を鮮明に表示することができる。
【発明を実施するための最良の形態】
【００１９】
本発明の第１の態様に係る画像表示制御装置は、画像発生装置が発生させた画像データをブロック単位で格納する記憶部と、前記画像データを構成する画素の輝度変化量を算出し当該輝度変化量が最も大きいものから所定数だけ当該画素における輝度変化量及びアドレス情報を画像表示装置に転送する制御部と、を具備する構成を採る。
【００２０】
この構成によれば、画像データを構成する画素の輝度変化量が最も大きいものから所定数だけ当該画素における輝度変化量及びアドレス情報が画像表示装置に転送されるので、人間の目が最も敏感に検知する輝度成分の変化を優先して当該画素における輝度変化量及びアドレス情報が転送される。このため、変化画素数が所定数以内の場合には画像データの表示に必要となる情報のみが転送され、不要な情報は転送されないので、常時、動画領域及び静止画領域のデータ転送回路が動作するという事態を回避することができ、消費電力を低減することができる。また、画像表示に必要な情報のみを転送するため、動画領域のデータ量を落として画質を劣化させることもないので、動画領域と静止画領域との境界を鮮明に表示することができる。
【００２１】
一方、画像データの変化画素が所定数を上回る場合には、当該画像データブロックで転送されなかった変化画素の輝度変化量と、次の画像データブロックの輝度変化量を合算して、それらを比較して輝度変化量の大きい部分から画像データが修正されていく。このため、全画面に対応する画像データを書き換える場合であっても、人間の目に最も敏感な部分から修正することができるので、実質的に問題なく描画再生を行うことができる。この結果、全画面に対応する画像データ書換えをスムーズに行うことができる。
【００２２】
本発明の第２の態様は、第１の態様に係る画像表示制御装置において、前記制御部は、前記輝度変化量及びアドレス情報の転送に先立って前記画像表示装置で画像データを表示する際に基準となる基準画素値を前記画像表示装置に転送する構成を採る。
【００２３】
この構成によれば、輝度変化量及びアドレス情報の転送に先立って画像表示装置で画像データを表示する際に基準となる基準画素値が画像表示装置に転送される。このため、画像表示装置でかかる基準画素値に基づき、輝度変化量及びアドレス情報に応じて画像データを表示することができる。
【００２４】
本発明の第３の態様は、第１又は第２の態様に係る画像表示制御装置において、前記制御部は、算出した輝度変化量の大きさ別に、当該輝度変化量及びアドレス情報を前記画像表示装置に転送する構成を採る。
【００２５】
この構成によれば、算出された輝度変化量の大きさ別に、当該輝度変化量及びアドレス情報が画像表示装置に転送される。このため、画像データを構成する全ての画素値及びそのアドレス情報を転送し各画素データに対するダイナミックな信号線動作を行う場合に比べ、画像データを表示する際に必要となる信号線動作を極力抑えることができる。この結果、画像データを表示する際に必要となる消費電力を削減することができる。
【００２６】
本発明の第４の態様に係る画像表示制御方法は、画像発生装置が発生させた画像データをブロック単位で格納し、前記画像データを構成する画素の輝度変化量を算出し、当該輝度変化量が最も大きいものから所定数だけ当該画素における輝度変化量及びアドレス情報を画像表示装置に転送するものである。
【００２７】
この方法によれば、画像データを構成する画素の輝度変化量が最も大きいものから所定数だけ当該画素における輝度変化量及びアドレス情報が画像表示装置に転送されるので、人間の目が最も敏感に検知する輝度成分の変化を優先して当該画素における輝度変化量及びアドレス情報が転送される。このため、変化画素数が所定数以内の場合には画像データの表示に必要となる情報のみが転送され、不要な情報は転送されないので、常時、動画領域及び静止画領域のデータ転送回路が動作するという事態を回避することができ、消費電力を低減することができる。また、画像表示に必要な情報のみを転送するため、動画領域のデータ量を落として画質を劣化させることもないので、動画領域と静止画領域との境界を鮮明に表示することができる。
【００２８】
一方、画像データの変化画素が所定数を上回る場合には、当該画像データブロックで転送されなかった変化画素の輝度変化量と、次の画像データブロックの輝度変化量を合算して、それらを比較して輝度変化量の大きい部分から画像データが修正されていく。このため、全画面に対応する画像データを書き換える場合であっても、人間の目に最も敏感な部分から修正することができるので、実質的に問題なく描画再生を行うことができる。この結果、全画面に対応する画像データ書換えをスムーズに行うことができる。
【００２９】
本発明の第５の態様は、第４の態様に係る画像表示制御方法において、前記輝度変化量及びアドレス情報の転送に先立って前記画像表示装置で画像データを表示する際に基準となる基準画素値を前記画像表示装置に転送するものである。
【００３０】
この方法によれば、輝度変化量及びアドレス情報の転送に先立って画像表示装置で画像データを表示する際に基準となる基準画素値が画像表示装置に転送される。このため、画像表示装置でかかる基準画素値に基づき、輝度変化量及びアドレス情報に応じて画像データを表示することができる。
【００３１】
本発明の第６の態様は、第４又は第５の態様に係る画像表示制御方法において、前記輝度変化量及びアドレス情報を転送する際、算出した輝度変化量の大きさ別に、当該輝度変化量及びアドレス情報を転送するものである。
【００３２】
この方法によれば、算出された輝度変化量の大きさ別に、当該輝度変化量及びアドレス情報が画像表示装置に転送される。このため、画像データを構成する全ての画素値及びそのアドレス情報を転送し各画素データに対するダイナミックな信号線動作を行う場合に比べ、画像データを表示する際に必要となる信号線動作を極力抑えることができる。この結果、画像データを表示する際に必要となる消費電力を削減することができる。
【００３３】
本発明の第７の態様に係る画像表示システムは、画像データを発生させる画像発生装置と、前記画像データを構成する画素の輝度変化量を算出し当該輝度変化量が最も大きいものから所定数だけ当該画素における輝度変化量及びアドレス情報を画像表示装置に転送する画像表示制御装置と、前記輝度変化量及びアドレス情報に応じて画像データを表示する画像表示装置と、を具備する構成を採る。
【００３４】
この構成によれば、画像データを構成する画素の輝度変化量が最も大きいものから所定数だけ当該画素における輝度変化量及びアドレス情報が画像表示装置に転送されるので、人間の目が最も敏感に検知する輝度成分の変化を優先して当該画素における輝度変化量及びアドレス情報が転送される。このため、変化画素数が所定数以内の場合には画像データの表示に必要となる情報のみが転送され、不要な情報は転送されないので、常時、動画領域及び静止画領域のデータ転送回路が動作するという事態を回避することができ、消費電力を低減することができる。また、画像表示に必要な情報のみを転送するため、動画領域のデータ量を落として画質を劣化させることもないので、動画領域と静止画領域との境界を鮮明に表示することができる。
【００３５】
一方、画像データの変化画素が所定数を上回る場合には、当該画像データブロックで転送されなかった変化画素の輝度変化量と、次の画像データブロックの輝度変化量を合算して、それらを比較して輝度変化量の大きい部分から画像データが修正されていく。このため、全画面に対応する画像データを書き換える場合であっても、人間の目に最も敏感な部分から修正することができるので、実質的に問題なく描画再生を行うことができる。この結果、全画面に対応する画像データ書換えをスムーズに行うことができる。
【００３６】
本発明の第８の態様は、第７の態様に係る画像表示システムにおいて、前記画像表示制御装置は、前記輝度変化量及びアドレス情報の転送に先立って前記画像表示装置で画像データを表示する際に基準となる基準画素値を前記画像表示装置に転送し、前記画像表示装置は、前記基準画素値、前記輝度変化量及びアドレス情報に応じて画像データを表示する構成を採る。
【００３７】
この構成によれば、輝度変化量及びアドレス情報の転送に先立って画像表示装置で画像データを表示する際に基準となる基準画素値が画像表示装置に転送される。このため、画像表示装置でかかる基準画素値に基づき、輝度変化量及びアドレス情報に応じて画像データを表示することができる。
【００３８】
本発明の第９の態様は、第７又は第８の態様に係る画像表示システムにおいて、前記画像表示制御装置は、算出した輝度変化量の大きさ別に、当該輝度変化量及びアドレス情報を転送し、前記画像表示装置は、大きさ別に転送された当該輝度変化量及びアドレス情報に応じて画像データを表示する構成を採る。
【００３９】
この構成によれば、算出された輝度変化量の大きさ別に、当該輝度変化量及びアドレス情報が画像表示装置に転送される。このため、画像データを構成する全ての画素値及びそのアドレス情報を転送し各画素データに対するダイナミックな信号線動作を行う場合に比べ、画像データを表示する際に必要となる信号線動作を極力抑えることができる。この結果、画像データを表示する際に必要となる消費電力を削減することができる。
【００４０】
以下、本発明の実施の形態について、図面を参照して詳細に説明する。
【００４１】
図１は、本発明の一実施の形態に係る画像表示制御装置１０１の周辺装置の構成を示す図である。
【００４２】
同図に示すように、本実施の形態に係る画像表示制御装置１０１は、画情報を発生させる画像発生装置１０２と、画像発生装置１０２が発生させた画情報に対応する画像データを表示する画像表示装置１０３とに接続され、画像発生装置１０２と画像表示装置１０３との間における画情報や画像データの転送を制御する。なお、画像発生装置１０２としては、例えば、デジタルＴＶやデジタルカメラが想定される。また、画像発生装置１０２は、インターネットを介して接続される構成としてもよい。
【００４３】
図２は、本実施の形態に係る画像表示制御装置１０１の構成を示すブロック図である。
【００４４】
同図に示すように、本実施の形態に係る画像表示制御装置１０１は、装置全体の制御を行うＣＰＵ２０１を備える。また、ＣＰＵ２０１が装置全体の制御を行うために読み込むプログラムが格納されたＲＯＭ２０２及びＣＰＵ２０１のワークメモリとして利用されるＲＡＭ２０３を備えている。
【００４５】
また、本実施の形態に係る画像表示制御装置１０１は、画情報抽出部２０４、画像データブロックバッファ（以下、「ブロックバッファ」という）２０５及び変化量データトランスコーダ２０６を備えている。
【００４６】
画情報抽出部２０４は、画像発生装置１０２から受け取った情報から画情報を抽出する。また、抽出した画情報の復号化処理（デジタル信号のアナログ変換処理）を行う。ブロックバッファ２０５は、画情報から復号化処理により得られる画像データ（生データ）をブロック単位で格納する。変化量データトランスコーダ２０６は、ブロックバッファ２０５に格納された画像データからＣＰＵ２０１が算出した各画素に関する輝度変化量データ及び色差変化量データ（以下、「変化量データ」という）及びアドレス情報を画像表示装置１０３に出力する。
【００４７】
図３は、本実施の形態に係る画像表示制御装置１０１に接続される画像表示装置１０３の構成を示すブロック図である。
【００４８】
同図に示すように、画像表示装置１０３は、装置全体の制御を行うＣＰＵ３０１を備える。また、ＣＰＵ３０１が装置全体の制御を行うために読み込むプログラムが格納されたＲＯＭ３０２及びＣＰＵ３０１のワークメモリとして利用されるＲＡＭ３０３を備えている。なお、ＲＡＭ３０３は、１フレーム分の変化量データを格納する。
【００４９】
また、画像表示装置１０３は、先入れ先出し（ＦＩＦＯ:First In First Out）方式のバッファ３０４、バスインタフェース（以下、「バスＩ／Ｆ」という）３０５及び表示部３０６を備えている。
【００５０】
バッファ３０４は、画像表示制御装置１０１から出力された変化量データ及びアドレス情報を格納する。後述する基準画素値Ｂｘｙ（ｒ，ｇ，ｂ）並びにバッファ３０４に格納された変化量データ及びアドレス情報に応じてＲＡＭ３０３に１フレーム分の変化量データが格納される。バスＩ／Ｆ３０５は、ＲＡＭ３０３に格納された１フレーム分の変化量データから再生される画像データ（生データ）を、階調データ及びアドレスの形式で受け取って表示部３０６に出力する。表示部３０６は、バスＩ／Ｆ３０５から受け取った画像データを表示する。
【００５１】
次に、以上のような構成を有する画像表示制御装置１０１が画像表示装置１０３に画像データを表示させる場合の動作について説明する。
【００５２】
図４は、本実施の形態に係る画像表示制御装置１０１が画像表示装置１０３に画像データを表示させる場合の動作について説明するためのフロー図である。
【００５３】
画像表示装置１０３に画像データを表示させる際、まず、画像表示制御装置１０１は、初期画面を構成する基準画素値Ｂｘｙ（ｒ，ｇ，ｂ）にデフォルト値（ｒ０，ｇ０，ｂ０）を設定する（ＳＴ４０１）。かかる設定は、変化量データトランスコーダ２０６により行われる。ここで、「ｒ０」は、デフォルト赤成分であり、「ｇ０」は、デフォルト緑成分であり、「ｂ０」は、デフォルト青成分を示している。基準画素値Ｂｘｙにおける「ｘ」、「ｙ」は、それぞれ対象画素の水平方向、垂直方向の位置を示している。なお、基準画素値Ｂｘｙ（ｒ，ｇ，ｂ）は、ＲＡＭ２０３に格納される。
【００５４】
基準画素値Ｂｘｙ（ｒ，ｇ，ｂ）にデフォルト値（ｒ０，ｇ０，ｂ０）を設定したならば、当該基準画素値Ｂｘｙ（ｒ，ｇ，ｂ）を画像表示装置１０３に転送する（ＳＴ４０２）。基準画素値Ｂｘｙ（ｒ，ｇ，ｂ）に設定されたデフォルト値（ｒ０，ｇ０，ｂ０）は、画像表示装置１０３において、バッファ３０４を介してＲＡＭ３０３に格納される。これにより、ＲＡＭ３０３に基準画素値Ｂｘｙ（ｒ，ｇ，ｂ）による１フレーム分の画素値が格納されることとなる。
【００５５】
基準画素値Ｂｘｙ（ｒ，ｇ，ｂ）を転送する一方で画像表示制御装置１０１においては、画情報抽出部２０４で画像発生装置１０２が発生した画情報を抽出し、当該画情報から復号化処理により得られる１ブロック分の画像データがブロックバッファ２０５に格納される。デフォルト値の転送が完了したならば、このブロックバッファ２０５に格納された画像データを読み込み、画素毎に読込画素値Ｎｘｙ（ｒ，ｇ，ｂ）に設定する（ＳＴ４０３）。このとき、１フレーム分の画像データを構成する読込画素値Ｎｘｙ（ｒ，ｇ，ｂ）がＲＡＭ２０３に格納される。
【００５６】
読込画素値Ｎｘｙ（ｒ，ｇ，ｂ）を設定したならば、変化量データの算出を行う。具体的には、まず、輝度変化量データＫｘｙの算出を行い（ＳＴ４０４）、続いて色差変化量データＳｘｙの算出を行う（ＳＴ４０５）。
【００５７】
輝度変化量データＫｘｙは、Ｋｘｙ＝ｆ（Ｎｘｙ−Ｂｘｙ）の演算を行うことで算出される。ここで、ｆ＝０．２９９ｒ＋０．５８７ｇ＋０．１１４ｂである。一方、色差変化量データＳｘｙは、Ｓｘｙ＝（Ｃｂ（Ｎｘｙ−Ｂｘｙ），Ｃｒ（Ｎｘｙ−Ｂｘｙ））の演算を行うことで算出される。ここで、Ｃｂ＝−０．１６９ｒ−０．３３１ｇ＋０．５００ｂ、Ｃｒ＝０．５００ｒ−０．４１８ｇ−０．０８２ｂである。
【００５８】
変化量データの算出を行った後、変化量データ転送処理を行う（ＳＴ４０６）。変化量データ転送処理とは、輝度変化量データの大きさを基準として、輝度変化量データの大きいものから予め設定した許容転送画素数Ｍだけ変化量データ及びアドレス情報を画像表示装置１０３に転送する処理をいう。
【００５９】
図５は、本実施の形態に係る画像表示制御装置１０１における変化量データ転送処理を説明するためのフロー図である。
【００６０】
変化量データ転送処理においては、まず、輝度変化量データＫｘｙの大きさを判断するための閾値（以下、「輝度変化量閾値」という）Ｋｓに、画像表示装置１０３における最大輝度変化量Ｋを設定する（ＳＴ５０１）。
【００６１】
最大輝度変化量Ｋを設定した後、各画素における輝度変化量データＫｘｙのサンプリングを開始する（ＳＴ５０２）。このとき、各画素の位置を示すｘ、ｙを初期化（ｘ＝０、ｙ＝０）する一方、画像表示装置１０３へ転送した画素数（以下、「転送済画素数」という）ｍを初期化（ｍ＝０）する。
【００６２】
そして、サンプリングした画素における輝度変化量データＫｘｙの絶対値が輝度変化量閾値Ｋｓ以上であるか判断する（ＳＴ５０３）。輝度変化量データＫｘｙの絶対値が輝度変化量閾値Ｋｓ以上であるならば、転送済画素数ｍを１つインクリメントする（ＳＴ５０４）。続いて、当該画素の変化量データ（輝度変化量データＫｘｙ、色差変化量データＳｘｙ）及びアドレス情報を画像表示装置１０３に転送する（ＳＴ５０５、ＳＴ５０６）。
【００６３】
アドレス情報まで転送したならば、ＲＡＭ２０３上の当該画素に対応する読込画素値Ｎｘｙ（ｒ，ｇ，ｂ）を、画像表示装置１０３に転送し終わった画素値（以下、「転送済画素値」という）Ｔｘｙ（ｒ，ｇ，ｂ）に変更する（ＳＴ５０７）。
【００６４】
次に、転送済画素数ｍが許容転送画素数Ｍに到達したか判断する（ＳＴ５０８）。なお、ＳＴ５０３においてサンプリングした画素の輝度変化量データＫｘｙの絶対値が輝度変化量閾値Ｋｓ未満である場合にはＳＴ５０４〜ＳＴ５０７をスキップして直接、ＳＴ５０８の判断を行う。
【００６５】
転送済画素数ｍが許容転送画素数Ｍに到達していない場合、すなわち、転送済画素数ｍが許容範囲内である場合、当該画素のｘの値が水平画素の最大値に到達したか判断する（ＳＴ５０９）。水平画素の最大値に到達していない場合にはｘの値をインクリメントして（ＳＴ５１０）、処理をＳＴ５０３に戻す。そして、ＳＴ５０３以降の処理を再び行う。一方、水平画素の最大値に到達している場合にはｘの値を初期化（ｘ＝０）する（ＳＴ５１１）。
【００６６】
そして、今度は当該画素のｙの値が垂直画素の最大値に到達したか判断する（ＳＴ５１２）。垂直画素の最大値に到達していない場合にはｙの値をインクリメントして（ＳＴ５１３）、処理をＳＴ５０３に戻す。そして、ＳＴ５０３以降の処理を再び行う。一方、垂直画素の最大値に到達している場合にはｙの値を初期化（ｙ＝０）する（ＳＴ５１４）。なお、水平画素の最大値及び垂直画素の最大値は、画像表示制御装置１０１において予め認識されているものとする。
【００６７】
そして、輝度変化量閾値Ｋｓを、最大輝度変化量Ｋから１だけ繰り下げた値（Ｋ−１）に設定して（ＳＴ５１５）、処理をＳＴ５０３に戻す。そして、ＳＴ５０３以降の処理を再び行う。
【００６８】
このように輝度変化量閾値Ｋｓを繰り下げて処理を行ううちに、ＳＴ５０８で転送済画素数ｍが許容転送画素数Ｍに到達したならば、変化量データ転送処理を終了する（ＳＴ５１６）。これにより、輝度変化量データＫｘｙの大きな画素に対応する変化量データ及びアドレス情報が、輝度変化量データＫｘｙの大きいものから許容転送画素数Ｍだけ画像表示装置１０３に転送されることとなる。
【００６９】
変化量データ転送処理を終了したならば、図４に示すように、変化量データ転送処理における終了画素値である転送済画素値Ｔｘｙ（ｒ、ｇ、ｂ）を、基準画素値Ｂｘｙ（ｒ，ｇ，ｂ）として更新する（ＳＴ４０７）。具体的には、転送済画素値Ｔｘｙ（ｒ，ｇ，ｂ）を、次の処理の基準画素値Ｂｘｙ（ｒ，ｇ，ｂ）に設定することで、基準画素値Ｂｘｙ（ｒ，ｇ，ｂ）の更新を行う。このように転送済画素値Ｔｘｙ（ｒ，ｇ，ｂ）のみを基準画素値Ｂｘｙ（ｒ，ｇ，ｂ）として更新し、転送済みでない画素値を基準画素値Ｂｘｙ（ｒ，ｇ，ｂ）として更新しないことで、次の変化量データ転送処理においては、前の変化量データ転送処理で転送済みでない画素値における輝度変化量データと、当該画素値における輝度変化量データとが合算されることとなる。
【００７０】
最後に、全ての画像データに対して処理を完了したか判断する（ＳＴ４０８）。すなわち、全ての画像データの表示（再生）が完了したかを判断する。全ての画像データの表示が完了したならば、画像表示制御装置１０１は処理を終了する。一方、完了していないならば、処理をＳＴ４０３に戻し、再びＳＴ４０３以降の処理を全ての画像データの表示が完了するまで行う。
【００７１】
一方、画像表示装置１０３においては、ＲＡＭ３０３に格納された基準画素値Ｂｘｙ（ｒ，ｇ，ｇ）に基づき、これに続いて転送された変化量データ及びアドレス情報に応じて画像データを表示する。このように変化量データ及びアドレス情報に先立って基準画素値Ｂｘｙ（ｒ，ｇ，ｇ）が転送されるので、画像表示装置１０３において、変化量データ及びアドレス情報の転送を受けるだけで画像データを表示することができる。
【００７２】
以上のような動作により画像表示制御装置１０１が画像表示装置１０３で画像データを表示させる場合について具体例を用いて説明する。ここでは、画像データにおいて変化した画素（以下、「変化画素」という）が、予め設定した帯域（データ転送量）の制限内に収まる場合と、収まらない場合とに分けて説明する。なお、この帯域の制限は、上述の許容転送画素数Ｍに対応する。
【００７３】
図６及び図７は、本実施の形態に係る画像表示制御装置１０１が画像表示装置１０３で画像データを表示させる場合の一例を説明するための図である。
【００７４】
図６は、変化画素が予め設定した帯域の制限内に収まる場合の一例について示し、図７は、変化画素が予め設定した帯域の制限内に収まらない場合の一例について示している。
【００７５】
図６及び図７においては、画素数が１６画素であり、帯域の制限として予めその半数の８画素が設定されているものとする。すなわち、上述の許容転送画素数Ｍが８画素の場合について説明する。また、画像表示装置１０３における最大輝度変化量Ｋは、”２５”であるものとする。図６及び図７における画素は、最上段の左から右へ第１画素〜第４画素、２段目の左から右へ第５画素〜第８画素、３段目の左から右へ第９画素〜第１２画素、４段目の左から右へ第１３画素〜第１６画素であるものとして説明する。
【００７６】
まず、変化画素が予め設定した帯域の制限内に収まる場合について説明する。図６（ａ）は、元の画像データにおける輝度変化量データを画素毎に示している。図６（ｂ）は、図６（ａ）における元の画像データに応じて画像表示装置１０３に転送される輝度変化量データを示している。
【００７７】
図６（ａ）に示す元の画像データの輝度変化量データにおいては、第１画素が”２５”で最も大きく、第６画素の”１０”、第７画素及び第１０画素の”５”、第３画素及び第９画素の”２”及び第１２画素及び第１５画素の”１”が続く。そして、これ以外の画素は輝度変化量データが”０”、すなわち、輝度変化量がない状態である。
【００７８】
この場合、図５に示す変化量データ転送処理においては、輝度変化量閾値Ｋｓに最大輝度変化量Ｋである”２５”が設定されると、ＳＴ５０５及びＳＴ５０６でそれぞれ第１画素の変化量データ及びアドレス情報が画像表示装置１０３に転送される。そして、ＳＴ５１５で輝度変化量閾値Ｋｓを繰り下げていくうちに、輝度変化量閾値Ｋｓに”１０”が設定されると、ＳＴ５０５及びＳＴ５０６でそれぞれ第６画素の変化量データ及びアドレス情報が画像表示装置１０３に転送される。
【００７９】
同様に、輝度変化量閾値Ｋｓに”５”が設定されると、第７画素及び第１０画素、輝度変化量閾値Ｋｓに”２”が設定されると、第３画素及び第９画素、輝度変化量閾値Ｋｓに”１”が設定されると、第１２画素及び第１５画素の変化量データ及びアドレス情報が画像表示装置１０３に転送される。
【００８０】
この結果、画像表示装置１０３に対しては、図６（ｂ）に示す輝度変化量データが転送されることとなる。なお、ここでは、第１５画素の変化量データ及びアドレス情報が転送された後、ＳＴ５０８で転送済画素数ｍが許容転送画素数Ｍ（８画素）に到達するので、変化量データ転送処理が終了する。そして、図４に示すＳＴ４０７で基準画素値Ｂｘｙが更新された後、ＳＴ４０８で次の画像データの有無が判断されることとなる。
【００８１】
次に、変化画素が予め設定した帯域の制限内に収まらない場合について説明する。図７（ａ）は、第１の時点の元の画像データにおける輝度変化量データを画素毎に示している。図７（ｂ）は、図７（ａ）における元の画像データに応じて画像表示装置１０３に転送される輝度変化量データを示している。
【００８２】
図７（ａ）に示す第１の時点の元の画像データの輝度変化量データにおいては、第１画素が”２５”で最も大きく、第２画素、第５画素及び第６画素の”１０”、第７画素及び第１０画素の”５”、第３画素、第９画素及び第１１画素の”２”並びに第４画素、第１２画素、第１３画素及び第１５画素の”１”が続く。そして、これ以外の画素は輝度変化量データが”０”、すなわち、輝度変化量がない状態である。
【００８３】
この場合、図５に示す変化量データ転送処理においては、輝度変化量閾値Ｋｓに最大輝度変化量Ｋである”２５”が設定されると、ＳＴ５０５及びＳＴ５０６でそれぞれ第１画素の変化量データ及びアドレス情報が画像表示装置１０３に転送される。そして、ＳＴ５１５で輝度変化量閾値Ｋｓを繰り下げていくうちに、輝度変化量閾値Ｋｓに”１０”が設定されると、ＳＴ５０５及びＳＴ５０６で第２画素、第５画素及び第６画素の変化量データ及びアドレス情報が画像表示装置１０３に転送される。
【００８４】
同様に、輝度変化量閾値Ｋｓに”５”が設定されると、第７画素及び第１０画素、輝度変化量閾値Ｋｓに”２”が設定されると、第３画素及び第９画素の変化量データ及びアドレス情報が画像表示装置１０３に転送される。
【００８５】
しかし、ここでは、第９画素の変化量データ及びアドレス情報が転送された後、ＳＴ５０８で転送済画素数ｍが許容転送画素数Ｍに到達する。したがって、この時点で変化量データ転送処理が終了する。このため、画像表示装置１０３に対しては、図７（ｂ）に示す輝度変化量データが転送されることとなる。そして、図４に示すＳＴ４０７で基準画素値Ｂｘｙが更新された後、ＳＴ４０８で次の画像データの有無が判断されることとなる。ここでは、図７（ｃ）に示す次の画像データがあるため、処理がＳＴ４０３に戻される。
【００８６】
図７（ｃ）は、第２の時点の元の画像データにおける輝度変化量データを画素毎に示している。図７（ｄ）は、第１の時点の元の画像データにおいて画像表示装置１０３に転送されなかった輝度変化量データを示している。図７（ｅ）は、図７（ｃ）における元の画像データに応じて画像表示装置１０３に転送される輝度変化量データを示している。
【００８７】
図７（ｃ）に示す第２の時点の元の画像データの輝度変化量データにおいては、第６画素が”２０”で最も大きく、第１画素、第２画素及び第５画素の”１０”、第４画素、第８画素、第１４画素及び第１６画素の”１”が続く。そして、これ以外の画素は輝度変化量データが”０”、すなわち、輝度変化量がない状態である。
【００８８】
一方、図７（ｄ）に示す第１の時点の元の画像データにおいて画像表示装置１０３に転送されなかった輝度変化量データにおいては、第１１画素に”２”が残り、第４画素、第１２画素、第１３画素及び第１５画素に”１”が残った状態である。
【００８９】
この場合、図５に示す変化量データ転送処理においては、ＳＴ５１５で輝度変化量閾値Ｋｓを繰り下げていくうちに、輝度変化量閾値Ｋｓに”２０”が設定されると、ＳＴ５０５及びＳＴ５０６で第５画素の変化量データ及びアドレス情報が画像表示装置１０３に転送される。輝度変化量閾値Ｋｓに”１０”が設定されると、ＳＴ５０５及びＳＴ５０６で第１画素、第２画素及び第４画素の変化量データ及びアドレス情報が画像表示装置１０３に転送される。
【００９０】
同様に、輝度変化量閾値Ｋｓに”２”が設定されると、第４画素及び第１１画素、輝度変化量閾値Ｋｓに”１”が設定されると、第８画素及び第１２画素の変化量データ及びアドレス情報が画像表示装置１０３に転送される。ここで、輝度変化量閾値Ｋｓに”２”が設定された場合に、第４画素の変化量データ及びアドレス情報が画像表示装置１０３に転送されるのは、図７（ｃ）に示す第２の時点の元の画像データにおける第４画素の輝度変化量データである”１”と、図７（ｄ）に示す第１の時点の元の画像データにおける第４画素の輝度変化量データである”１”との合算値が”２”となるからである。
【００９１】
しかし、ここでは、第１２画素の変化量データ及びアドレス情報が転送された後、ＳＴ５０８で転送済画素数ｍが許容転送画素数Ｍに到達する。したがって、この時点で変化量データ転送処理が終了する。この結果、画像表示装置１０３に対しては、図７（ｅ）に示す輝度変化量データが転送されることとなる。そして、図４に示すＳＴ４０７で基準画素値が更新された後、ＳＴ４０８で次の画像データの有無が判断されることとなる。ここでは、図７（ｆ）に示す次の画像データがあるため、処理がＳＴ４０３に戻される。
【００９２】
図７（ｆ）は、第３の時点の元の画像データにおける輝度変化量データを画素毎に示している。図７（ｇ）は、第２の時点の元の画像データにおいて画像表示装置１０３に転送されなかった輝度変化量データを示している。図７（ｈ）は、図７（ｆ）における元の画像データに応じて画像表示装置１０３に転送される輝度変化量データを示している。
【００９３】
図７（ｆ）に示す第３の時点の元の画像データの輝度変化量データにおいては、全ての画素において、輝度変化量がない状態である。一方、図７（ｇ）に示す第２の時点の元の画像データにおいて画像表示装置１０３に転送されなかった輝度変化量データにおいては、第１３画素〜第１６画素に”１”が残った状態である。
【００９４】
この場合、図５に示す変化量データ転送処理においては、ＳＴ５１５で輝度変化量閾値Ｋｓを繰り下げていくうちに、輝度変化量閾値Ｋｓに”１”が設定されると、ＳＴ５０５及びＳＴ５０６で第１３画素〜第１６画素の変化量データ及びアドレス情報が画像表示装置１０３に転送される。そして、ＳＴ５１５で輝度変化量閾値Ｋｓに”０”が設定されると、ＳＴ５１６で変化量データ転送処理が終了する。そして、図４に示すＳＴ４０７で基準画素値Ｂｘｙが更新された後、ＳＴ４０８で次の画像データの有無が判断されることとなる。
【００９５】
このように本実施の形態に係る画像表示制御装置１０１は、画像データブロック毎に帯域制限（許容転送画素数Ｍ）を設定し、変化画素数がその制限を上回る場合には人間の目が最も敏感に検知する輝度成分の変化を優先して当該変化画素の変化量データ及びアドレス情報を画像表示装置１０３に転送する。一方、輝度成分が変化しない変化画素については変化量データ及びアドレス情報を転送しない。
【００９６】
このため、画像データの変化画素が帯域制限内の場合には画像データの表示に必要となる情報のみが転送され、不要な情報は転送されないので、常時、動画領域及び静止画領域のデータ転送回路が動作するという事態を回避することができ、消費電力を低減することができる。また、画像表示に必要な情報のみを転送するため、動画領域のデータ量を落として画質を劣化させることもないので、動画領域と静止画領域との境界を鮮明に表示することができる。
【００９７】
一方、画像データの変化画素が帯域制限を上回る場合には、当該画像データブロックで転送されなかった変化画素の輝度成分の変化量と、次の画像データブロックの輝度成分の変化量を合算して、それらを比較して輝度成分の変化の大きい部分から画像データが修正されていく。このため、全画面に対応する画像データを書き換える場合であっても、人間の目に最も敏感な部分から修正することができるので、実質的に問題なく描画再生を行うことができる。この結果、全画面に対応する画像データ書換えをスムーズに行うことができる。
【００９８】
このように本実施の形態に係る画像表示制御装置１０１は、画像表示装置１０３に画像データを表示させる場合、画像データを構成する全ての画素値及びそのアドレス情報を画像表示装置１０３に転送するのでなく、画像データ内の変化画素の変化量データ及びそのアドレス情報を画像表示装置１０３に転送する。変化量データ及びアドレス情報を転送する際には、変化量データの大きさに応じて対応するアドレス情報を連続して転送する。また、画像データの表示（再生）においては、画像表示装置１０３の最終段、すなわち、ＣＰＵ３０１からバスＩ／Ｆ３０５に出力される段階で変化量データに基づいて画像データ（生データ）への変換を行う。
【００９９】
図８は、本実施の形態に係る画像表示制御装置１０１における変化量データ及びアドレス情報の送信タイミングを説明するための図である。なお、図８においては、図６に用いて例を再び利用して説明する。また、特に、変化量データとしては輝度変化量データに限定して説明するが、これに限定されず、変化量データには色差変化量データも含まれる。
【０１００】
同図に示すように、本画像表示制御装置１０１は、水平ブロック同期信号の出力に応じて変化量データ及びそのアドレス情報を画像表示装置１０３に転送する。水平ブロック同期信号Ｓ１が出力されると、図６に示す元の画像データの輝度変化量データ及びアドレス情報が画像表示装置１０３に転送される。
【０１０１】
図６に示す例では、まず、第１画素の輝度変化量データが”２５”であるため、変化量データとして”２５”が転送され、これに伴って第１画素のアドレス情報が転送される。また、第６画素に輝度変化量データが”１０”であるため、変化量データとして”１０”が転送され、これに伴って第６画素のアドレス情報が転送される。さらに、第７画素及び第１０画素の輝度変化量データが”５”であるため、変化量データとして”５”が転送され、これに伴って第７画素及び第１０画素のアドレス情報が転送される。
【０１０２】
同様に、変化量データとして”２”及び第３画素及び第９画素のアドレス情報、並びに、変化量データとして”１”及び第１２画素及び第１５画素のアドレス情報が転送されることとなるが、図８においてはこれらを省略している。
【０１０３】
このように輝度変化量データの大きさ別に、変化量データ及びそのアドレス情報を転送することで、画像データを構成する全ての画素値及びそのアドレス情報を転送し各画素データに対するダイナミックな信号線動作を行う場合に比べ、画像データを表示する際に必要となる信号線動作を極力抑えることができる。この結果、画像データを表示する際に必要となる消費電力を削減することができる。
【０１０４】
例えば、図６に示すような元の画像データにおける変化画素であった場合でも、画像データを構成する全ての画素値及びそのアドレス情報で転送する場合には、１６画素分の画素値及びそのアドレス情報が転送されることとなる。これに対して本実施の形態に係る画像表示制御装置１０１によれば、８画素分の変化量データ及びそのアドレス情報を転送するだけで済むので、データ転送に伴う消費電力を確実に削減することができる。
【０１０５】
また、本実施の形態に係る画像表示制御装置１０１においては、画像表示装置１０３の最終段で変化量データに基づいて画像データ（生データ）への変換を行う。このため、拡大縮小、回転又はマルチウィンドウ等の処理に対応する場合においても、画像表示装置１０３における最終段で制御を行うことで画像表示制御装置１０１による制御の負担を軽減することができる。
【０１０６】
例えば、拡大縮小、回転又はマルチウィンドウ等に対応する場合においては、画像表示制御装置１０１で各処理に対応した画素値及びそのアドレス情報を生成し、その生成した画素値等を逐一画像表示装置１０３に転送する必要がある。これに対して、本実施の形態に係る画像表示制御装置１０１においては、各処理に対応した画素値等を転送する必要はない。このため、かかる画素値等を転送する処理に要する制御の負担を削減することができるので、画像表示制御装置１０１による制御の負担を軽減することができる。
【０１０７】
また、本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるコンピュータプログラムを包含する。
【０１０８】
また、本発明を実施するコンピュータをプログラムするために使用できる命令を含む記憶媒体であるコンピュータプログラム製品が本発明の範囲に含まれる。この記憶媒体は、フロッピー（Ｒ）ディスク、光ディスク、ＣＤＲＯＭ及び磁気ディスク等のディスク、ＲＯＭ、ＲＡＭ、ＥＰＲＯＭ、ＥＥＰＲＯＭ、磁気光カード、メモリカードまたはＤＶＤ等であるが、特にこれらに限定されるものではない。
【産業上の利用可能性】
【０１０９】
本発明に係る画像表示制御装置及び画像表示制御方法並びに画像表示システムによれば、消費電力を抑えつつ、全画面書換えをスムーズに行う一方、動画領域と静止画領域との境界を鮮明に表示することができ、高解像度の画像データの高速描画に対応できる点で有用である。
【図面の簡単な説明】
【０１１０】
【図１】本発明の一実施の形態に係る画像表示制御装置の周辺装置の構成を示す図
【図２】上記実施の形態に係る画像表示制御装置の構成を示すブロック図
【図３】上記実施の形態に係る画像表示制御装置に接続される画像表示装置の構成を示すブロック図
【図４】上記実施の形態に係る画像表示制御装置が画像表示装置に画像データを表示させる場合の動作について説明するためのフロー図
【図５】上記実施の形態に係る画像表示制御装置における変化量データ転送処理を説明するためのフロー図
【図６】上記実施の形態に係る画像表示制御装置が画像表示装置で画像データを表示させる場合の一例を説明するための図
【図７】上記実施の形態に係る画像表示制御装置が画像表示装置で画像データを表示させる場合の一例を説明するための図
【図８】上記実施の形態に係る画像表示制御装置における変化量データ及びアドレス情報の送信タイミングを説明するための図
【図９】従来の画像表示制御装置の周辺装置の構成を示す図
【図１０】従来の画像表示システムにおける表示画素の遷移の一例について示す図
【図１１】従来の画像表示システムにおける表示画素の遷移の一例について示す図
【符号の説明】
【０１１１】
１０１  画像表示制御装置
１０２  画像発生装置
１０３  画像表示装置
２０４  画情報抽出部
２０５  画像データブロックバッファ
２０６  変化量データトランスコーダ
３０４  バッファ
３０５  バスインタフェース（Ｉ／Ｆ）
３０６  表示部
【図１】
2005181856.tif 000003
【図２】
2005181856.tif 000004
【図３】
2005181856.tif 000005
【図４】
2005181856.tif 000006
【図５】
2005181856.tif 000007
【図６】
2005181856.tif 000008
【図７】
2005181856.tif 000009
【図８】
2005181856.tif 000010
【図９】
2005181856.tif 000011
【図１０】
2005181856.tif 000012
【図１１】
2005181856.tif 000013